(57)【特許請求の範囲】
【請求項１】
建物の屋外と屋内とを貫通する貫通孔を通じて前記建物に浸入する水漏れを防止する方法であって、
可撓性を有する板材と、前記板材の一方側に配置される止水材とを備えるダム部材を用意する用意工程、
前記ダム部材を、前記止水材が外側となるように、かつ前記貫通孔に挿入可能なように巻回する巻回工程、
前記貫通孔に、前記ダム部材を前記巻回状態で挿入する挿入工程、および、
前記貫通孔の周面の下側に、前記止水材を接触させる接触工程
を備えることを特徴とする、水漏れ防止方法。
【請求項２】
前記板材が、巻回によって反発する反発弾性を有し、
前記巻回工程では、前記板材に応力を作用して巻回状態に維持し、
前記接触工程では、前記板材に作用する前記応力を解除することにより、前記貫通孔の周面に前記止水材を圧接させることを特徴とする、請求項１に記載の水漏れ防止方法。
【請求項３】
前記貫通孔は、スリーブの内周面によって区画されていることを特徴とする、請求項１または２に記載の水漏れ防止方法。
【請求項４】
屋外と屋内とを貫通する貫通孔を有する建物と、
可撓性を有する板材と、前記板材の一方側に配置される止水材とを有するダム部材と
を備え、
前記ダム部材は、前記止水材が前記貫通孔の周面の下側に接触するように巻回された状態で、前記貫通孔内に配置されていることを特徴とする、建物構造物。
【請求項５】
建物の水漏れを防止するためのダム部材であって、
可撓性を有する板材と、
前記板材の一方側に配置される止水材と
を備え、
前記ダム部材が前記建物に取り付けられた状態で、前記止水材は、前記板材の反発弾性により、前記建物に圧接されることを特徴とする、ダム部材。
【請求項６】
前記止水材は、前記板材の第１方向の一方側端部において、前記第１方向と直交する第２方向に沿って延びるように配置されていることを特徴とする、請求項５に記載のダム部材。
【請求項７】
係合部と、前記係合部と係合され、前記第２方向に間隔を隔てて配置される被係合部とが前記板材に設けられ、
前記係合部は、前記被係合部に対して、前記第２方向に沿って摺動可能に係合することを特徴とする、請求項６に記載のダム部材。
【請求項８】
前記係合部と前記被係合部とは、それらを一対として、前記第１方向に沿って複数設けられていることを特徴とする、請求項７に記載のダム部材。
【請求項９】
互いに間隔を隔てて配置される複数対の前記係合部および前記被係合部の間に、前記第２方向に沿って延びるように配置される切断目印が設けられていることを特徴とする、請求項８に記載のダム部材。
【請求項１０】
少なくとも一対の前記係合部および前記被係合部は、前記板材において、前記止水材よりも前記第１方向の一方側端部に配置され、
少なくとも一対の前記係合部および前記被係合部は、前記板材の前記第１方向における他方側端部に配置されていることを特徴とする、請求項８または９に記載のダム部材。
【発明の詳細な説明】
【技術分野】
【０００１】
本発明は、建物の水漏れ防止方法、その水漏れ防止方法を適用した建物構造物、および、その水漏れ防止方法に使用するダム部材に関する。
【背景技術】
【０００２】
住宅やビルなどの建物の外壁には、エアコンなどの空調設備を設けるために、屋外と屋内とを貫通する空調用貫通孔が設けられている。空調用貫通孔には、一般的に、スリーブ（さや管）が挿入され、そのスリーブ内に、空調設備の室外機と室内機とを連結するドレーンホースが通されている。また、空調設備を取り付けない場合、屋内に雨水や風の浸入を防止すべく、スリーブの両端（屋外側開口部および屋内側開口部）に、取り外し可能な蓋が設けられている（非特許文献１参照。）。
【０００３】
しかしながら、蓋（外蓋１３、内蓋１４）とスリーブ７との間に僅かな隙間が発生する場合があり、雨水がスリーブを通じて屋内に浸入するという不具合（漏水）が生じている（図７参照。）。
【先行技術文献】
【非特許文献】
【０００４】
【非特許文献１】エアコン配管部材カタログ、因幡電気産業株式会社発行、２０１５年、ｐ３６−３７
【発明の概要】
【発明が解決しようとする課題】
【０００５】
漏水を防止するには、蓋とスリーブとの隙間をパテなどで塞ぐ方法が検討される。しかし、この方法では、隙間を完全かつ確実に塞ぐようにパテを埋め込まなければならないため、作業性に劣る。
【０００６】
また、空調用貫通孔が、建物の２階以上の外壁に設けられている場合、屋外側から作業するためには足場を組まなければならないため、屋内側から作業できることも望まれている。
【０００７】
本発明の目的は、簡易に、建物の水漏れを防止することができる水漏れ防止方法、その水漏れ防止方法を適用した建物構造物、および、その水漏れ防止方法を提供することにある。
【課題を解決するための手段】
【０００８】
本発明［１］は、建物の屋外と屋内とを貫通する貫通孔を通じて前記建物に浸入する水漏れを防止する方法であって、可撓性を有する板材と、前記板材の一方側に配置される止水材とを備えるダム部材を用意する用意工程、前記ダム部材を、前記止水材が外側となるように、かつ前記貫通孔に挿入可能なように巻回する巻回工程、前記貫通孔に、前記ダム部材を前記巻回状態で挿入する挿入工程、および、前記貫通孔の周面に、前記止水材を接触させる接触工程を備える水漏れ防止方法を含んでいる。
【０００９】
この水漏れ防止方法によれば、板材を巻回して、ダム部材を貫通孔に挿入し、貫通孔の周面に止水材を接触することにより、止水材が、貫通孔の周面をつたって屋内に浸入する水を、堰き止めることができる。そのため、簡易に、水漏れを防止することができる。また、貫通孔に対してダム部材をいずれか一方から挿入すればよいため、屋内側からの作業が可能である。
【００１０】
本発明［２］は、前記板材が、巻回によって反発する反発弾性を有し、前記巻回工程では、前記板材に応力を作用して巻回状態に維持し、前記接触工程では、前記板材に作用する前記応力を解除することにより、前記貫通孔の周面に前記止水材を圧接させる［１］に記載の水漏れ防止方法を含んでいる。  
【００１１】
この水漏れ防止方法によれば、板材に作用している応力を解除することにより、止水材を貫通孔の周面に圧接することができる。そのため、水漏れをより一層簡易かつ確実に防止することができる。また、止水材を貫通孔の周面に接触させるために、巻回状態の板材を拡径する工具をさらに必要としないため、部品点数を低減することができる。
【００１２】
本発明［３］は、前記貫通孔は、スリーブの内周面によって区画されている［１］または［２］に記載の水漏れ防止方法を含んでいる。  
【００１３】
この水漏れ防止方法によれば、スリーブの内周面をつたって浸入する水漏れを防止することができる。
【００１４】
本発明［４］は、屋外と屋内とを貫通する貫通孔を有する建物と、可撓性を有する板材と、前記板材の一方側に配置される止水材とを有するダム部材とを備え、前記ダム部材は、前記止水材が前記貫通孔の周面に接触するように巻回された状態で、前記貫通孔内に配置されている建物構造物を含んでいる。
【００１５】
この建物構造物によれば、ダム部材は、止水材が貫通孔の周面に接触するように巻回された状態で、貫通孔内に配置されているため、貫通孔の周面をつたって屋内に浸入する水漏れを抑制することができる。
【００１６】
本発明［５］は、建物の水漏れを防止するためのダム部材であって、可撓性を有する板材と、前記板材の一方側に配置される止水材とを備えるダム部材を含んでいる。
【００１７】
このダム部材によれば、板材を巻回して、ダム部材を貫通孔に挿入し、貫通孔の周面に止水材を接触させることにより、止水材が、貫通孔の周面をつたって屋内に浸入する水を、堰き止めることができる。そのため、簡易に、水漏れを防止することができる。また、貫通孔に対してダム部材をいずれか一方から挿入すればよいため、屋内側からの作業が可能となる。
【００１８】
本発明［６］は、前記板材は、巻回によって反発する反発弾性を有する［５］に記載のダム部材を含んでいる。
【００１９】
このダム部材によれば、板材に応力を作用させて巻回状態に維持し、ダム部材を貫通孔に挿入した後に、その応力を解除することにより、止水材を貫通孔の周面に圧接することができる。そのため、水漏れをより一層簡易かつ確実に防止することができる。また、止水材を貫通孔の周面に接触させるために、巻回状態の板材を拡径する工具をさらに必要としないため、部品点数を低減することができる。
【００２０】
本発明［７］は、前記止水材は、前記板材の第１方向の一方側端部において、前記第１方向と直交する第２方向に沿って延びるように配置されている［５］または［６］に記載のダム部材を含んでいる。
【００２１】
このダム部材によれば、止水材が第２方向に沿って延びるように配置されているため、ダム部材を巻回して第１方向に沿って貫通孔に挿入すれば、止水材を貫通孔の周方向に沿って延びるように配置することができる。そのため、水漏れをより確実に防止することができる。
【００２２】
本発明［８］は、係合部と、前記係合部と係合され、前記第２方向に間隔を隔てて配置される被係合部とが前記板材に設けられ、前記係合部は、前記被係合部に対して、前記第２方向に沿って摺動可能に係合する［７］に記載のダム部材を含んでいる。  
【００２３】
このダム部材によれば、係合部が被係合部に係合して摺動することによって、ダム部材の巻回のサイズを調整することができる。そのため、貫通孔のサイズに応じてダム部材を挿入可能なような巻回状態に容易かつ確実にすることができる。
【００２４】
本発明［９］は、前記係合部と前記被係合部とは、それらを一対として、前記第１方向に沿って複数設けられている［８］に記載のダム部材を含んでいる。
【００２５】
このダム部材によれば、複数箇所で係合部および被係合物を係合することができるため、ダム部材をより一層簡易かつ確実に巻回状態にすることができる。
【００２６】
本発明［１０］は、互いに間隔を隔てて配置される複数対の前記係合部および前記被係合部の間に、前記第２方向に沿って延びるように配置される切断目印が前記板材に設けられている［９］に記載のダム部材を含んでいる。  
【００２７】
このダム部材によれば、切断目印に沿ってダム部材を切断することにより、貫通孔の軸方向長さに対応したダム部材を容易に得ることができる。
【００２８】
本発明［１１］は、少なくとも一対の前記係合部および前記被係合部は、前記板材において、前記止水材よりも前記第１方向の一方側端部に配置され、少なくとも一対の前記係合部および前記被係合部は、前記板材の前記第１方向における他方側端部に配置されている［９］または［１０］に記載のダム部材を含んでいる。
【００２９】
このダム部材によれば、第１方向の両端部に、係合部および被係合部を備えるため、ダム部材は、より安定した巻回状態を維持することができる。
【発明の効果】
【００３０】
本発明のダム部材を備える本発明の水漏れ防止方法によれば、建物の屋外と屋内とを貫通する貫通孔を通じて建物に浸入する水漏れを簡易に防止することができる。また、屋内側からの作業が可能である。
【００３１】
また、本発明の建物構造物によれば、貫通孔を通じて建物に浸入する水漏れを防止することができる。
【図面の簡単な説明】
【００３２】
【図１】図１Ａ〜図１Ｃは、本発明のダム部材の一実施形態を示し、  図１Ａは、平面図を示し、  図１Ｂは、図１ＡのＡ−Ａ断面図を示し、  図１Ｃは、図１ＡのＢ−Ｂ断面図を示す。
【図２】図２は、図１Ａのダム部材の一部を切断したダム部材を示す。
【図３】図３Ａ〜図３Ｄは、図２のダム部材を巻回する巻回工程を示し、  図３Ａは、ダム部材を曲げる工程、  図３Ｂは、板材の左端部と右端部とが重なるように巻回する工程、  図３Ｃは、ダム部材の係合部を被係合部に係合する工程、  図３Ｄは、ダム部材を、スリーブに挿入可能な巻回状態にまで巻回する工程、を示す。
【図４】図４Ａ〜図４Ｃは、図２のダム部材を用いた水漏れ防止方法の一実施形態の工程図を示し、図４Ａは、空調用貫通孔に、スリーブが取り付けられた壁を用意する工程、図４Ｂは、ダム部材を、巻回状態で挿入する工程、図４Ｃは、スリーブ貫通孔の内周面に、止水材を接触させる工程を示す。
【図５】図５は、空調用貫通孔にスリーブが取り付けられた壁の斜視図を示す。
【図６】図６は、本発明のダム部材の変形例（係合部、被係合部および切断目印が設けられていない実施形態）の平面図を示す。
【図７】図７は、空調用貫通孔において、水漏れが発生している状態を示す。
【発明を実施するための形態】
【００３３】
図１Ａにおいて、紙面左右方向は、前後方向（第１方向）であり、紙面左側が前側（第１方向一方側）、紙面右側が後側（第１方向他方側）である。紙面上下方向は、左右方向（第１方向に直交する第２方向）であり、紙面上側が右側（第２方向一方側）、紙面下側が左側（第２方向他方側）である。紙面紙厚方向は、上下方向（第１方向および第２方向に直交する第３方向、厚み方向）であり、紙面手前側が上側（第３方向一方側、厚み方向一方側）、紙面奥側が下側（第３方向他方側、厚み方向他方側）である。図１Ａ以外の図面についても図１Ａの方向に準拠する。
【００３４】
１．ダム部材
本発明の水漏れ防止方法に用いるダム部材の一実施形態を、図１Ａ〜図１Ｃを参照して説明する。ダム部材１は、建物の屋外と屋内とを貫通する貫通孔に挿入して、水漏れを防止する方法に用いる部材であって、板材２と、止水材３とを備えている。
【００３５】
板材２は、シート状（フィルム状を含む）に形成されており、面方向（前後左右方向）に延びる平面視略矩形の平板形状を有している。  
【００３６】
板材２は、可撓性を有する。好ましくは、板材２の右端部と左端部とが重なるように板材２を円筒状に巻回した際に、破損しない程度の可撓性を有する。
【００３７】
板材２は、好ましくは、巻回によって反発する反発弾性を有する。具体的には、板材２に応力を作用させて、板材２の右端部と左端部とが重なるように板材２を円筒状に巻回した際に、板材２は、元の形状（平面視略矩形状の平板形状）に復元しようとして、応力に対して反発する。
【００３８】
板材２を構成する材料としては、例えば、銅、アルミニウムなどの金属、例えば、ポリエステル（ポリエチレンテレフタレートなど）、ポリオレフィンフィルム（ポリエチレン、ポリプロピレンなど）、ポリカーボネート、塩化ビニルフィルム、アクリル樹脂などの合成樹脂、例えば、紙などが挙げられる。
【００３９】
可撓性、反発弾性、強度などの観点から、好ましくは、合成樹脂が挙げられ、より好ましくは、ポリエステル、ポリオレフィンが挙げられ、さらに好ましくは、ポリエスエルが挙げられる。
【００４０】
板材２の厚みは、可撓性、反発弾性、強度などの観点から、例えば、０．０５ｍｍ以上、好ましくは、０．１ｍｍ以上、より好ましくは、０．２ｍｍ以上、さらに好ましくは、０．３ｍｍ以上であり、また、例えば、３．０ｍｍ以下、好ましくは、２．０ｍｍ以下、より好ましくは、１．０ｍｍ以下である。
【００４１】
板材２の前後方向長さは、例えば、後述する外壁４の壁厚より長く、好ましくは、後述するスリーブ７の軸方向長さより長い。具体的には、例えば、５０ｍｍ以上、好ましくは、１００ｍｍ以上、さらに好ましくは、１５０ｍｍ以上であり、また、例えば、５００ｍｍ以下、好ましくは、３５０ｍｍ以下、より好ましくは、２５０ｍｍ以下である。
【００４２】
板材２の左右方向長さは、例えば、後述する空調用貫通孔６の円周長より長く、好ましくは、後述するスリーブ貫通孔５の円周長より長い。具体的には、例えば、５０ｍｍ以上、好ましくは、１００ｍｍ以上であり、また、例えば、１０００ｍｍ以下、好ましくは、３００ｍｍ以下である。
【００４３】
板材２には、複数対（例えば６対）の係合部２１および被係合部２２が設けられている。すなわち、係合部２１および被係合部２２は、これらを一対として、前後方向に沿って互いに間隔を隔てて複数設けられている。
【００４４】
複数（例えば６つ）の係合部２１は、止水材３の前側および後側に少なくとも１つずつ配置されている。具体的には、複数の係合部２１は、板材２の右端部において、前後方向に間隔を隔てて配置されており、１つの前側係合部２３および複数（例えば５つ）の後側係合部２４を備えている。
【００４５】
前側係合部２３は、板材２の前端部に配置されている。具体的には、後述する止水材３よりも前側に配置されている。
【００４６】
前側係合部２３は、第１開口部２７および第１突部２８を備えている。
【００４７】
第１開口部２７は、厚み方向に板材２を貫通しており、前側に向かって開口する略Ｕ字状に形成されている。
【００４８】
第１突部２８は、第１開口部２７によって区画され、後側に向かって突出する平面視略矩形状に形成されている。
【００４９】
複数（５つ）の後側係合部２４は、後述する止水材３よりも後側において、板材２の前後方向途中から後端部にかけて、間隔を隔てて配置されている。後側係合部２４は、第２開口部２９および第２突部３０を備えている。
【００５０】
第２開口部２９は、厚み方向に板材２を貫通しており、後側に向かって開口する略Ｕ字状に形成されている。
【００５１】
第２突部３０は、第２開口部２９によって区画され、前側に向かって突出する平面視略矩形状に形成されている。
【００５２】
複数の被係合部２２は、複数の係合部２１と１対１対応するように、複数の係合部２１と左右方向に間隔を隔てて、板材２の左端部に配置されている。複数の被係合部２２は、板材２の左端部において、互いに前後方向に間隔を隔てて配置されており、１つの前側被係合部２５および複数（５つ）の後側被係合部２６を備えている。
【００５３】
前側被係合部２５は、前側係合部２３と対応して、前側係合部２３の左側に間隔を隔てて配置されている。前側被係合部２５は、厚み方向に板材２を貫通し、左右方向に直線状に延びる第３開口部３１を備えている。
【００５４】
複数の後側被係合部２６は、複数の後側係合部２４と対応して、後側係合部２４の左側に間隔を隔てて配置されている。複数の後側被係合部２６は、板材２の前後方向途中から後端部にかけて、間隔を隔てて配置されている。後側被係合部２６は、厚み方向に板材２を貫通し、左右方向に直線状に延びる第４開口部３２を備えている。
【００５５】
板材２には、互いに間隔を隔てて配置される複数対の係合部２１および被係合部２２の間に、切断目印の一例としてのスリットライン３５が複数設けられている。
【００５６】
複数（４つ）のスリットライン３５は、前後方向に間隔を隔てて配置されている。スリットライン３５は、左右方向に沿って延びるように板材２の右端縁から左端縁まで形成されている。スリットライン３５は、板材２を厚み方向に貫通する複数のスリット部３６と、互いに左右方向に隣接するスリット部３６の間に形成される複数の非スリット部３７とを備えている。
【００５７】
スリット部３６の左右方向長さは、非スリット部３７の左右方向長さに対して、例えば、１５０％以下、好ましくは、１２０％以下であり、また、例えば、１０％以上、好ましくは、５０％以上である。スリット部３６の左右方向長さを上記上限以下とすることにより、板材２を巻回して、係合部２１を被係合部２２に対して摺動させる場合に、スリットライン３５による板材２の表面抵抗を低減し、係合部２１を被係合部２２に対してスムーズに摺動させることができる。その結果、ダム部材１の巻回状態のサイズをスムーズに調整することができる。また、スリット部３６の左右方向長さを上記下限以上とすることにより、板材２をより簡単に切断することができる。
【００５８】
止水材３は、板材２の一方面（一方側の表面、図１Ｂでは、上面）に配置されている。具体的には、板材２の前端部において、左右方向に沿って延びるように配置されている。止水材３は、前後方向に投影した際に、左右方向位置が、係合部２１の左端部と重複する一方、被係合部２２と重複しないように配置されている。また、止水材３は、前側係合部２３および前側被係合部２５よりも後側に、かつ、後側係合部２４および後側被係合部２６よりも前側に配置されている。
【００５９】
止水材３は、所定の厚みを有しており、後述するスリーブ貫通孔５の内周面に接触するように配置される際に、水の通過を防止することができる。
【００６０】
このような止水材３の材料としては、水の通過を防止でき、かつ、後述するスリーブ貫通孔５に対する接触時に圧縮変形（好ましくは、弾性変形）できる材料であればよく、例えば、エチレン・プロピレン・ジエンゴム発泡体（ＥＰＤＭ発泡体）、エチレン・プロピレン発泡体（ＥＰＭ発泡体）、ポリウレタン発泡体、ポリオレフィン発泡体（ポリエチレン発泡体、ポリプロピレン発泡体など）、クロロプレン発泡体などの発泡体、例えば、ブチルゴム、天然ゴム、スチレンブタジエンゴム、アクリロニトリルブタジエンゴム、イソプレンゴム、クロロプレンゴム、ポリイソブチレン、再生ゴムなどのゴムなどが挙げられる。
【００６１】
巻回し易さ、貫通孔内部への挿入し易さ（滑り性）、貫通孔内周面への追従性、止水性などから、好ましくは、発泡体（特に、伸縮性のある発泡体）が挙げられ、より好ましくは、ＥＰＤＭ発泡体、ＥＰＭ発泡体が挙げられる。
【００６２】
止水材３の厚みは、例えば、２ｍｍ以上、好ましくは、５ｍｍ以上、より好ましくは、１０ｍｍ以上であり、また、例えば、５０ｍｍ以下、好ましくは、３０ｍｍ以下、より好ましくは、２０ｍｍ以下である。
【００６３】
止水材３の前後方向長さは、例えば、５ｍｍ以上、好ましくは、１０ｍｍ以上であり、また、例えば、５０ｍｍ以下、好ましくは、４０ｍｍ以下、より好ましくは、３０ｍｍ以下、さらに好ましくは、２０ｍｍ以下である。
【００６４】
止水材３の左右方向長さは、例えば、板材２の左右方向長さの３０％以上、好ましくは、４０％以上、より好ましくは、５０％以上であり、また、例えば、９０％以下、好ましくは、８０％以下、さらに好ましくは、７０％以下である。具体的には、例えば、５０ｍｍ以上、好ましくは、８０ｍｍ以上、さらに好ましくは、１００ｍｍ以上であり、また、例えば、２００ｍｍ以下、好ましくは、１６０ｍｍ以下である。左右方向長さを上記下限以上とすることにより、止水材３をスリーブ貫通孔５の内周面の下側全体に配置することができ、より多くの水漏れをより確実に防止することができる。また、左右方向長さを上記上限以下とすることにより、ダム部材１を巻回する際に、止水材３の左端部と右端部との干渉を防止し、より小径にダム部材１を巻回することができる。
【００６５】
なお、止水材３は、粘着剤層などを介して、板材２の上面に配置していてもよい。
【００６６】
２．水漏れ防止方法
本発明の水漏れ防止方法の一実施形態を、図１Ａ〜図５を参照して説明する。本発明の水漏れ防止方法の一実施形態は、ダム部材１を、家屋および建屋などの建物の外壁４に設けられている貫通孔の一例としてのスリーブ貫通孔５に挿入して、水漏れを防止する。
【００６７】
まず、建物の外壁４に設けられているスリーブ貫通孔５について説明する。
【００６８】
建物の外壁４には、図４Ａおよび図５に示すように、屋外と屋内とを貫通する空調用貫通孔６が形成されている。空調用貫通孔６は、空調設備の室外機と室内機とを連結するドレーンホースを通すための貫通孔である。空調用貫通孔６は、略円形状を有している。
【００６９】
空調用貫通孔６には、スリーブ７が挿入されている。スリーブ７は、円筒部８およびツバ部９を備えている。
【００７０】
円筒部８は、両端が開口する略円筒形状を有し、円筒部８には、軸方向に貫通するスリーブ貫通孔５が形成されている。すなわち、スリーブ貫通孔５は、スリーブ７の内周面によって区画されている。円筒部８の外径形状は、空調用貫通孔６の形状と略同一の円形状であり、円筒部８の内径形状は、円筒部８の外径形状よりもわずかに小さい円形状である。
【００７１】
ツバ部９は、円筒部８の軸方向の一端部に設けられている。ツバ部９は、略円形枠状を有し、その外径形状は、上部および下部が直線状に切り欠けられた略円形状を有し、その内径形状は、円筒部８の外径形状と一致する。
【００７２】
スリーブ７は、ツバ部９が空調用貫通孔６から露出し、外壁４の屋内側の壁面と接触するように、かつ、円筒部８が空調用貫通孔６の内部に収容されるように、配置されている。
【００７３】
なお、空調用貫通孔６の屋外側には、スリーブ７の他端部を閉鎖するスリーブ用外蓋１３が設けられている。
【００７４】
本発明の水漏れ防止方法の一実施形態は、用意工程、巻回工程、挿入工程および接触工程を備える。
【００７５】
用意工程では、ダム部材１を用意する。
【００７６】
具体的には、まず、上記した図１Ａに示すダム部材１を用意する。
【００７７】
続いて、スリーブ７の軸方向長さよりも、その前後方向長さが短くなる長さとなるように、図２に示すように、ダム部材１を切断する。具体的には、上記の長さに対応するように、複数のスリットライン３５から任意（１つ）のスリットラインを選び、スリットライン３５に沿って、ダム部材１を左右方向に沿って切断する。これにより、前後方向長さが所望長さになるように切断されたダム部材１が得られる。切断されたダム部材１において、一対の係合部２１および被係合部２２は、前端部および後端部にそれぞれ配置されている。なお、本実施形態では、最も前側のスリットライン３５に沿ってダム部材１を切断している。
【００７８】
巻回工程では、図３Ａ〜図３Ｄに示すように、切断したダム部材１を、止水材３が外側となるように、かつスリーブ貫通孔５に挿入可能なように、巻回する。
【００７９】
具体的には、まず、図３Ａに示すように、板材２の一方面（図１Ｂでは、上面）が外側に向くようにダム部材１を配置し、板材２を外側に凸となるように曲げる。
【００８０】
続いて、図３Ｂに示すように、板材２の右端部の他方面（他方側の表面、図１Ｂでは、下面）と、板材２の左端部の一方面とが径方向において重なるように、板材２を巻回する（第１巻回状態）。より具体的には、前側係合部２３と前側被係合部２５の右端部とが径方向に重なるように、かつ、後側係合部２４と後側被係合部２６の右端部とが、径方向に重なるように、巻回する。
【００８１】
続いて、係合部２１を被係合部２２に係合する。より具体的には、第１突部２８を径方向内側に折り曲げ、前側被係合部２５に挿入し、かつ、第２突部３０を径方向内側に折り曲げ、後側被係合部２６に挿入する。その後、図３Ｃに示すように、折り曲げた第１突部２８を前側被係合部２５に挿入したまま径方向外側に戻し、かつ、折り曲げた第２突部３０を後側被係合部２６に挿入したまま径方向外側に戻す。
【００８２】
これにより、ダム部材１は、止水材３が外側となる略円筒形状に形成される（第１巻回状態）。
【００８３】
なお、第１巻回状態において、ダム部材１は、その最大半径（具体的には、中心点から止水材３の径方向外側の面までの距離）が、スリーブ貫通孔５の半径よりも大きくなるように巻回されている。これにより、第１巻回状態のダム部材１は、スリーブ貫通孔５に挿入することが許容されない。
【００８４】
続いで、図３Ｄに示すように、スリーブ貫通孔５に挿入可能なように巻回状態（巻回径）を調整し、その巻回状態を維持する。
【００８５】
具体的には、板材２に応力を作用させて、係合部２１を被係合部２２に対して、板材２が縮径するように摺動させる。すなわち、前側係合部２３を前側被係合部２５の右端部に向かって摺動させ、後側係合部２４を後側被係合部２６の右端部に向かって摺動させる。摺動後、引き続き、応力を維持する。例えば、板材２の重ね合わせ部１１を指で把持することにより、応力を維持する（図４Ｂ参照）。
【００８６】
これにより、ダム部材１は、スリーブ貫通孔５に挿入可能な巻回状態に維持される（第２巻回状態）。第２巻回状態のダム部材１は、第１巻回状態のダム部材１より小径である。
【００８７】
なお、第２巻回状態において、そのダム部材１は、第２巻回状態におけるダム部材１の最大半径Ｒ２（具体的には、中心点から止水材３の外側面までの距離）が、スリーブ貫通孔５の半径Ｒ１よりも小さくなるように巻回されている（図４Ｂ参照）。
【００８８】
また、第２巻回状態において、止水材３の周方向長さは、板材２の周方向長さに対して、例えば、１／４以上、好ましくは、１／３以上、より好ましくは、１／２以上となるように調整される。
【００８９】
挿入工程では、図４Ｂに示すように、ダム部材１を第２巻回状態で挿入する。
【００９０】
具体的には、スリーブ貫通孔５にダム部材１が完全に収容されるように、ダム部材１を屋内側から挿入する。
【００９１】
この場合、ダム部材１の前端縁が、スリーブ用外蓋１３に接触しないように、ダム部材１を挿入する。
【００９２】
また、止水材３が下側に配置されるように、ダム部材１を挿入する。換言すれば、第２巻回状態において、板材２の止水材非配置領域１２が上側に位置するように、ダム部材１を挿入する。
【００９３】
接触工程では、図４Ｃに示すように、スリーブ貫通孔５の内周面に、止水材３を接触させる。
【００９４】
具体的には、板材２に作用している応力を解除する。例えば、把持している指を板材２から離間させる。
【００９５】
これにより、板材２が有する反発弾性によって板材２が自動的に拡径して、または、必要に応じて、板材２が有する反発弾性を利用してダム部材１の半径を拡張するように板材２を摺動させることにより、止水材３が、スリーブ貫通孔５の内周面に圧接される。このとき、止水材３は、スリーブ貫通孔５の内周面の下側に位置する。
【００９６】
その結果、水漏れ防止構造を備える建物構造物１０が得られる。
【００９７】
接触工程後、図４Ｃの仮想線に示すように、スリーブ用内蓋１４を用いて、スリーブ７の屋内側の開口部を閉口する。
【００９８】
３．建物構造物
本発明の水漏れ防止方法を適用した建物構造物の一実施形態は、上記水漏れ防止方法によって得られた建物構造物であって、図４Ｃに示すように、スリーブ貫通孔５を有する建物の外壁４と、ダム部材１とを備えている。
【００９９】
ダム部材１は、止水材３が板材２の外側となるように、かつ、止水材３がスリーブ貫通孔５の内周面に接触するように巻回された状態（第３巻回状態）で、スリーブ貫通孔５内に配置されている。
【０１００】
また、第３巻回状態のダム部材１は、止水材３がスリーブ貫通孔５の内周面の下側と接触するように、配置されている。換言すれば、第３巻回状態のダム部材１は、止水材非配置領域１２が、スリーブ貫通孔５の内周面の上側と対向配置されるように、配置されている。
【０１０１】
４．作用効果
本実施形態のダム部材１およびそのダム部材１を使用する水漏れ防止方法、さらにはその方法を適用した建物構造物１０では、板材２を巻回して、ダム部材１をスリーブ貫通孔５に挿入し、スリーブ貫通孔５の内周面に止水材３を接触することにより、止水材３が、スリーブ貫通孔５の内周面をつたって屋内に浸入する水を、堰き止めることができる。そのため、簡易に、水漏れを防止することができる。また、スリーブ貫通孔５に対してダム部材１を屋内側から挿入することができる。
【０１０２】
また、板材２に作用している応力を解除することにより、止水材３をスリーブ貫通孔５の内周面に圧接することができる。そのため、水漏れをより一層簡易かつ確実に防止することができる。また、止水材３をスリーブ貫通孔５の周面に接触させるために、巻回状態の板材２を拡径する工具をさらに必要としないため、部品点数を低減することができる。
【０１０３】
また、ダム部材１において、止水材３は、板材２の前端部において、左右方向に沿って延びるように配置されている。
【０１０４】
このため、ダム部材１を前後方向に沿ってスリーブ貫通孔５に挿入すれば、止水材３をスリーブ貫通孔５の周方向に沿って延びるように配置することができる。そのため、水漏れをより確実に防止することができる。
【０１０５】
また、ダム部材１では、係合部２１が被係合部２２に係合して摺動することによって、ダム部材１の巻回のサイズを調整することができる。そのため、スリーブ貫通孔５のサイズに応じてダム部材１を挿入可能なような巻回状態に容易かつ確実にすることができる。さらに、挿入後に、スリーブ貫通孔５の内周面に沿うようにダム部材１を拡径させることができる。
【０１０６】
また、複数箇所で係合部２１および被係合部２２を係合することができる。そのため、ダム部材１をより一層簡易かつ確実に巻回状態にすることができる。
【０１０７】
また、スリットライン３５に沿ってダム部材１を切断することにより、スリーブ貫通孔５の軸方向長さに対応したダム部材１を容易に得ることができる。
【０１０８】
また、一対の係合部２１および被係合部２２は、板材２において、前端部および後端部にそれぞれ配置されている。そのため、ダム部材１は、より安定した巻回状態を維持することができる。
【０１０９】
５．変形例
図１Ａ〜図１Ｃに示すダム部材１は、複数対の係合部２１および被係合部２２、ならびに、スリットライン３５が設けられているが、例えば、図６に示すように、ダム部材１は、係合部２１および被係合部２２、ならびに、スリットライン３５が設けられていなくてもよい。
【０１１０】
好ましくは、図１Ａ〜図１Ｃに示すダム部材１が挙げられる。板材２に、複数対の係合部２１および被係合部２２を設けることにより、上記したように、ダム部材１を適宜の前後方向長さに切断して、スリーブ貫通孔５のサイズに応じて挿入可能なサイズにしても、複数箇所で係合部２１および被係合部２２を係合することができ、ダム部材１をより一層簡易かつ確実に巻回状態にすることができる。また、スリットライン３５が設けることにより、上記したように、スリーブ貫通孔５の軸方向長さに対応したダム部材１を容易に得ることができる。
【０１１１】
図１Ａ〜図１Ｃに示すダム部材１では、切断目印の一例として、スリットライン３５が設けられているが、例えば、図示しないが、切断目地の一例として、印刷ラインとすることもできる。
【０１１２】
打抜き裁断によって、係合部２１および被係合部２２の形成と同時にスリットライン３５を形成でき、製造工程数を低減できる観点から、好ましくは、スリットライン３５が挙げられる。
【０１１３】
図４Ａ〜図４Ｃに示す水漏れ防止方法では、空調用貫通孔６にスリーブが配置されており、そのスリーブ貫通孔５にダム部材１を挿入しているが、例えば、図示しないが、空調用貫通孔６にスリーブ７が配置されておらず、空調用貫通孔６にダム部材１を直接挿入することもできる。
【０１１４】
すなわち、この実施形態では、板材２を巻回して、ダム部材１を空調用貫通孔６に挿入し、空調用貫通孔６の内周面に止水材３を接触させる。これにより、止水材３が、空調用貫通孔６の内周面をつたって屋内に浸入する水を、堰き止めることができる。
【０１１５】
この水漏れ防止方法によって得られる建物構造物１０は、空調用貫通孔６を有する建物の外壁４と、止水材３が空調用貫通孔６の内周面に接触する巻回状態で、空調用貫通孔内１に配置されているダム部材１とを備える。
【０１１６】
図４Ａ〜図４Ｃに示す水漏れ防止方法では、図１Ａに示すダム部材１を切断して、図２に示すダム部材１をスリーブ貫通孔５に挿入しているが、例えば、図示しないが、図１Ａに示すダム部材を切断せず、スリーブ貫通孔５に挿入することもできる。
【０１１７】
なお、この場合、スリーブ貫通孔５の軸方向長さが、図１Ａに示すダム部材1の前後方向長さよりも長い場合に実施することができる。
【０１１８】
図４Ａ〜図４Ｃに示す水漏れ防止方法では、挿入工程の後に、接触工程を実施しているが、例えば、図示しないが、挿入工程および接触工程を同時に実施することもできる。
【０１１９】
この場合、巻回工程において、第２巻回状態におけるダム部材の最大半径Ｒ２が、スリーブ貫通孔５の半径Ｒ１と略同一となるように、板材２に応力を作用させて、ダム部材１を巻回する。続いて、止水材３をスリーブ貫通孔５に接触するように、ダム部材１をスリーブ貫通孔５に挿入した後、応力を解除する。
【０１２０】
挿入のし易さ、止水材３のずれ抑制などの観点から、好ましくは、挿入工程の後に、接触工程を実施する。
【０１２１】
図４Ａ〜図４Ｃに示す水漏れ防止方法では、ダム部材１の板材２として、反発弾性を有する板材２を使用しているが、例えば、図示しないが、反発弾性を有しない板材２を使用することもできる。この際、ダム部材１をスリーブ貫通孔５内に挿入した後、拡張工具などを使用して、ダム部材１を拡張し、止水材３をスリーブ貫通孔５の内周部に接触させる。
【０１２２】
ダム部材１の拡張方法としては、例えば、拡張工具の一例としてのバルーンをダム部材１の内部に挿入し、バルーンを膨張させる。また、例えば、拡張工具の一例としての複数の棒をダム部材１の内部に挿入し、一方の棒の先端を下方に向かって押し下げると同時に、他方の棒の先端をから上方に押し上げる。
【０１２３】
好ましくは、図４Ａ〜図４Ｃおよび図５に示す水漏れ防止方法が挙げられる。図４Ａ〜図４Ｃおよび図５に示す水漏れ防止方法では、上記したように、応力を解除することにより、止水材３をスリーブ貫通孔５の内周面に圧接することができ、そのため、水漏れをより一層簡易かつ確実に防止することができる。また、拡張工具をさらに必要としないため、部品点数を低減することができる。
【０１２４】
図３Ａ〜図３Ｄおよび図４Ａ〜図４Ｃに示す水漏れ防止方法では、ダム部材１を巻回する際において、係合部２１を被係合部２２に係合した後に、係合部２１を被係合部２２に対して摺動させることによりダム部材１をスリーブ貫通孔５に挿入可能なように巻回し、続いて、ダム部材１をスリーブ貫通孔５に挿入しているが、図示しないが、例えば、ダム部材１をスリーブ貫通孔５に挿入可能なように巻回した後に、係合部２１を被係合部２２に係合し、続いて、ダム部材１をスリーブ貫通孔５に挿入することもできる。
【０１２５】
図４Ａ〜図４Ｃおよび図５に示す外壁４は、内部が中実である一枚の壁から形成され、その空調用貫通孔６にスリーブ７が設けられているが、図示しないが、例えば、外壁４は二重壁であって、その空調用貫通孔６にスリーブ７が設けられていてもよい。すなわち、外壁４は、屋外と面し、空調用貫通孔６が形成されている屋外側外壁と、その屋外側の外壁と間隔を隔てて配置され、屋内と面し、空調用貫通孔６が形成されている屋内用外壁（例えば、内壁、断熱壁）とを備えていてもよい。
【０１２６】
これらの変形例も、上記した図１〜図５に示す実施形態と同様の作用効果を発現する。
【符号の説明】
【０１２７】
１  ダム部材
２  板材
３  止水材
４  外壁
５  スリーブ貫通孔
７  スリーブ
１０  建物構造物
２１  係合部
２２  被係合部
３５  スリットライン
【図１】
0006787674.tif 000002
【図２】
0006787674.tif 000003
【図３】
0006787674.tif 000004
【図４】
0006787674.tif 000005
【図５】
0006787674.tif 000006
【図６】
0006787674.tif 000007
【図７】
0006787674.tif 000008